(57)【要約】【課題】スリット付き軸流ファンを排気用に用いた場合、排気効率の向上や排気温度を低減することができる電子機器及びプロジェクター、また、スリット付き軸流ファンを吸気用に用いた場合、吸気効率の向上や電子機器の小型化を図ることができる電子機器及びプロジェクターを提供する。【解決手段】電子機器（プロジェクター１）は、排気口１１を有する外装筐体１０と、羽根３２、及び羽根３２を回転可能に囲み両端部に第１開口部２１１及び第２開口部２１２が形成される側壁２１を有し、羽根３２の回転中心軸Ｊに沿って、第１開口部２１１、及び側壁２１に形成される複数のスリット２１３から第２開口部２１２に空気を流動させる軸流ファン２と、軸流ファン２の側壁２１を覆い、側壁２１のスリット２１３に相対する領域に開口部６１１を有し、側壁２１の第２開口部２１２から吐出される空気を排気口１１に導くダクト（第１ダクト６１）と、を備えている。【選択図】図３
2019078973.tif 000002
【特許請求の範囲】
【請求項１】
内部の空気を外部に排気するための排気口を有する外装筐体と、
前記外装筐体に設置され、羽根、及び前記羽根を回転可能に囲み回転中心軸方向両端部に第１開口部及び第２開口部が形成される筒形状の側壁を有し、前記羽根の前記回転中心軸に沿って、前記第１開口部、及び前記側壁に形成されるスリットから前記第２開口部に空気を流動させる軸流ファンと、
前記軸流ファンの前記側壁を覆い、前記側壁の前記スリットに相対する領域に開口部を有し、前記側壁の前記第２開口部から吐出される前記空気を前記排気口に導くダクトと、
を備えていることを特徴とする電子機器。
【請求項２】
請求項１に記載の電子機器であって、
前記外装筐体は、前記外装筐体外部の外気を前記スリットに吸気する吸気口を備えていることを特徴とする電子機器。
【請求項３】
請求項２に記載の電子機器であって、
前記吸気口から前記スリットに前記外気を導くダクトを備えていることを特徴とする電子機器。
【請求項４】
羽根、及び前記羽根を回転可能に囲み回転中心軸方向両端部に第１開口部及び第２開口部が形成される筒形状の側壁を有し、前記羽根の前記回転中心軸に沿って、前記第１開口部、及び前記側壁に形成されるスリットから前記第２開口部に空気を流動させる軸流ファンと、
前記軸流ファンが設置されると共に、前記第１開口部に相対する領域に設置されて外気を吸気する第１吸気口、及び前記スリットに相対する領域に設置されて前記外気を吸気する第２吸気口を有する外装筐体と、
前記第１吸気口から吸気される前記外気の塵埃を除去する第１フィルターと、
前記第２吸気口から吸気される前記外気の塵埃を除去する第２フィルターと、
前記第１吸気口及び前記第２吸気口から吸気される前記外気を、前記第１開口部及び前記スリットに導くダクトと、
を備えていることを特徴とする電子機器。
【請求項５】
請求項４に記載の電子機器であって、
前記軸流ファンは、前記外装筐体内部の角部に設置されると共に、前記第１吸気口と前記第２吸気口とは、前記角部で前記第１開口部と前記スリットに相対する前記外装筐体の面、または、前記角部の隣り合う面に設置されることを特徴とする電子機器。
【請求項６】
請求項４または請求項５に記載の電子機器であって、
前記第１フィルターと前記第２フィルターとは一体に構成されていることを特徴とする電子機器。
【請求項７】
請求項１〜請求項６のいずれか一項に記載の電子機器を構成する各構成部と、
光を射出する光源と、
前記光源から射出された前記光を画像情報に基づいて変調する光変調装置と、
前記光変調装置で変調した変調光を投写する投写光学系と、
を備えていることを特徴とするプロジェクター。
【発明の詳細な説明】
【技術分野】
【０００１】
本発明は、電子機器及びプロジェクターに関する。
【背景技術】
【０００２】
従来、電子機器は、電源等の発熱源を備えているため、発熱源を冷却することが必要となる。また、発熱源を冷却するためには冷却用のファンが用いられている。冷却用のファンが駆動することにより、電子機器に設ける吸気口を介して外気を吸気し、電子機器内部の温まった空気を、排気口を介して電子機器の外部に排気することで冷却を行う。
【０００３】
特許文献１では、冷却用に用いられる軸流ファンにおいて、ハウジングの側壁に備える複数のスリット群に改良を加えることにより、吸気効率を改善したことが開示されている。
【先行技術文献】
【特許文献】
【０００４】
【特許文献１】特許第５６６８３５２号公報
【発明の概要】
【発明が解決しようとする課題】
【０００５】
特許文献１では軸流ファンの構成は開示されているが、このスリット付きの軸流ファンを電子機器に用いる場合の冷却構造に関しては開示されていない。そのため、スリット付き軸流ファンを用いて電子機器の冷却を行う場合の冷却構造が課題となる。
【０００６】
また、電子機器において、スリットを有さない軸流ファンと同様に、スリット付き軸流ファンを排気用に用いる場合においても、排気効率の向上が課題となる。そして、排気口から排気される排気温度が高い場合には、排気口の温度が上がることや排気口周辺の外気温度が高まること等により、排気温度を低減することが課題となる。
【０００７】
また、電子機器において、スリットを有さない軸流ファンと同様に、スリット付き軸流ファンを吸気用に用いる場合においても、吸気効率の向上が課題となる。そして、軸流ファンの設置位置を考慮すること等により電子機器の小型化を図ることが課題となる。
【０００８】
従って、スリット付き軸流ファンを排気用に用いた場合、排気効率の向上や排気温度を低減することができる電子機器及びプロジェクターが要望されていた。また、スリット付き軸流ファンを吸気用に用いた場合、吸気効率の向上や電子機器の小型化を図ることができる電子機器及びプロジェクターが要望されていた。
【課題を解決するための手段】
【０００９】
本発明は、上述の課題の少なくとも一部を解決するためになされたものであり、以下の形態または適用例として実現することが可能である。
【００１０】
［適用例１］本適用例に係る電子機器は、内部の空気を外部に排気するための排気口を有する外装筐体と、外装筐体に設置され、羽根、及び羽根を回転可能に囲み回転中心軸方向両端部に第１開口部及び第２開口部が形成される筒形状の側壁を有し、羽根の回転中心軸に沿って、第１開口部、及び側壁に形成されるスリットから第２開口部に空気を流動させる軸流ファンと、軸流ファンの側壁を覆い、側壁のスリットに相対する領域に開口部を有し、側壁の第２開口部から吐出される空気を排気口に導くダクトと、を備えていることを特徴とする。
【００１１】
本適用例の電子機器によれば、軸流ファンにおいて、第１開口部からは、例えば、電子機器に備わる主な発熱源（他の発熱源より発熱量が大きい）の発熱による温まった空気を吸気させる。併せて、スリットからは、例えば、スリットに相対する開口部（ダクト）を介し、主な発熱源以外の周りの空気や、発熱源（主な発熱源より発熱量が小さい）からの温まった空気を吸気させることができる。そして、第２開口部からは、第１開口部及びスリットから吸気した空気が混合されて吐出される。そして、第２開口部から吐出された空気は、ダクト内を流動し、排気口から外装筐体外部に排気される。この構成により、内気の排気効率を向上させることができる。
また、スリットからは、主な発熱源からの高い温度の空気に比べて、低い温度となる空気を吸気することができる。そのため、従来の軸流ファンのように、スリットを有さずに主な発熱源による高い温度の空気のみを排気する場合に比べて、排気口から排気される空気の温度（排気温度）を低減させることができる。
【００１２】
［適用例２］上記適用例に係る電子機器において、外装筐体は、外装筐体外部の外気をスリットに吸気する吸気口を備えていることが好ましい。
【００１３】
本適用例の電子機器によれば、外装筐体に備える吸気口を介してスリットに外気を吸気することで、更に排気温度を低減することができる。
【００１４】
［適用例３］上記適用例に係る電子機器において、吸気口からスリットに外気を導くダクトを備えていることが好ましい。
【００１５】
本適用例の電子機器によれば、ダクトを介して確実に外気をスリットに吸気させることができる。
【００１６】
［適用例４］本適用例に係る電子機器は、羽根、及び羽根を回転可能に囲み回転中心軸方向両端部に第１開口部及び第２開口部が形成される筒形状の側壁を有し、羽根の回転中心軸に沿って、第１開口部、及び側壁に形成されるスリットから第２開口部に空気を流動させる軸流ファンと、軸流ファンが設置されると共に、第１開口部に相対する領域に設置されて外気を吸気する第１吸気口、及びスリットに相対する領域に設置されて外気を吸気する第２吸気口を有する外装筐体と、第１吸気口から吸気される外気の塵埃を除去する第１フィルターと、第２吸気口から吸気される外気の塵埃を除去する第２フィルターと、第１吸気口及び第２吸気口から吸気される外気を、第１開口部及びスリットに導くダクトと、を備えていることを特徴とする。
【００１７】
本適用例の電子機器によれば、第１吸気口から吸気される外気は、第１フィルターにより外気に含まれる塵埃が除去されて、ダクト内を流動し、主に、第１吸気口と相対する軸流ファンの第１開口部に吸気される。また、第２吸気口から吸気される外気は、第２フィルターにより外気に含まれる塵埃が除去されて、ダクト内を流動して、主に、第２吸気口と相対する軸流ファンのスリットに吸気される。そして、第１開口部及びスリットから吸気された外気は、第２開口部から外装筐体内部の例えば発熱源に向けて吐出される。この構成により、外気の吸気効率を向上させることができる。
【００１８】
［適用例５］上記適用例に係る電子機器において、軸流ファンは、外装筐体内部の角部に設置されると共に、第１吸気口と第２吸気口とは、角部で第１開口部とスリットに相対する外装筐体の面、または、角部の隣り合う面に設置されることが好ましい。
【００１９】
本適用例の電子機器において、軸流ファンは、第１開口部が形成される方向と、スリットが形成される方向とは略直交する方向となる。そのため、軸流ファンを外装筐体内部の角部に設置し、第１吸気口と第２吸気口とを、軸流ファンが設置される角部で、第１開口部とスリットに相対する外装筐体の面、または、軸流ファンが設置される角部の隣り合う面に設置されることにより、それぞれの吸気口から相対する第１開口部やスリットに外気を吸気しやすくなる。これにより、吸気効率の向上を図ることができる。また、軸流ファン、第１吸気口、第２吸気口を角部に設置することにより、電子機器の小型化を図ることができる。
【００２０】
［適用例６］上記適用例に係る電子機器において、第１フィルターと第２フィルターとは一体に構成されていることが好ましい。
【００２１】
本適用例の電子機器によれば、第１フィルターと第２フィルターとが一体に構成されることにより、フィルターの組立て性の向上や塵埃の除去性能を向上させることができる。
【００２２】
［適用例７］本適用例に係る電子機器としてのプロジェクターは、上述したいずれか一項に記載の各構成部と、光を射出する光源と、光源から射出された光を画像情報に基づいて変調する光変調装置と、光変調装置で変調した変調光を投写する投写光学系と、を備えていることを特徴とする。
【００２３】
本適用例のプロジェクターによれば、スリット付きの軸流ファンを排気用に用いた場合、排気効率の向上や排気温度を低減させることができる。また、スリット付き軸流ファンを吸気用に用いた場合、吸気効率の向上やプロジェクターの小型化を図ることができる。排気効率の向上及び吸気効率の向上により、冷却効率を向上させることができる。
【図面の簡単な説明】
【００２４】
【図１】実施形態に係るプロジェクターの回路構成を示すブロック図。
【図２】スリット付きの軸流ファンを示す概斜視図。
【図３】軸流ファンを排気用ファンとして用いた場合の排気側の構成を示す模式図。
【図４】軸流ファンを吸気用ファンとして用いた場合の吸気側の構成を示す模式図。
【発明を実施するための形態】
【００２５】
以下、実施形態を説明する。なお、各図において、説明の便宜上、構成や部材の縮尺を異ならせて図示している。
本実施形態では、電子機器の一例としてプロジェクター１を取り上げて説明する。
【００２６】
〔実施形態〕
＜プロジェクター１の概要＞
図１は、実施形態に係るプロジェクター１の回路構成を示すブロック図である。
本実施形態では、図１に示すように、プロジェクター１は、画像入力端子５０、画像信号入力部５１、画像信号処理部５２、ＯＳＤ（On-Screen Display）処理部５３、制御部５４、記憶部５５、入力操作部５６、光源制御部５７、画像投写部５８、電源端子５９、電源部４０、冷却用ファン駆動部５、吸気用ファン２Ａ、排気用ファン２Ｂ等で構成されている。また、これらの回路ブロックは、プロジェクター１本体の外装を構成する外装筐体１０（図３参照）の内部または外面に配置されている。
【００２７】
画像投写部５８は、光源５８１、３つの透過型の液晶パネル５８２（５８２Ｒ，５８２Ｇ，５８２Ｂ）投写レンズ５８３、液晶駆動部５８４等を含んでいる。画像投写部５８は、光源５８１から射出された光を、光変調装置としての液晶パネル５８２Ｒ，５８２Ｇ，５８２Ｂで変調し、変調された変調光（画像光）を投写光学系としての投写レンズ５８３から投写することによって、スクリーンＳＣ等の投写面に投写画像として表示する。
【００２８】
光源５８１は、超高圧水銀ランプやメタルハライドランプ等の放電型の光源ランプ５８１ａと、リフレクター５８１ｂとを含んで構成されている。液晶駆動部５８４は、入力される画像データに応じた駆動電圧を、各液晶パネル５８２Ｒ，５８２Ｇ，５８２Ｂを構成する画素に印加する。これにより、各画素は、画像情報に応じた光透過率に設定される。このため、光源５８１から射出された光は、この液晶パネル５８２Ｒ，５８２Ｇ，５８２Ｂを透過することによって変調され、画像情報に応じた画像光が色光毎に形成される。形成された各色の画像光は、色合成光学系（図示省略）によって画素毎に合成されてカラーの画像光となった後、投写レンズ５８３によってスクリーンＳＣ等に拡大投写される。
【００２９】
なお、本実施形態のプロジェクター１は、光源５８１として放電型の光源を用いている。しかし、これに限られず、固体光源を用いた光源を用いてもよい。固体光源としては、レーザー光源、ＬＥＤ（Light emitting diode）素子、有機ＥＬ（Electro Luminescence）素子、シリコン発光素子等の各種固体発光素子等があげられる。
【００３０】
また、本実施形態のプロジェクター１において、光変調装置としての３つの液晶パネル５８２は、透過型の液晶パネルを用いている。しかし、これには限られず、反射型の光変調装置や、マイクロミラー型の光変調装置等、他の方式の光変調装置を用いることができる。なお、マイクロミラー型の光変調装置としては、例えば、ＤＭＤ（Digital Micromirror Device）等を用いることができる。
【００３１】
入力操作部５６は、ユーザーがプロジェクター１に対して各種指示を行うための複数の操作キー（図示省略）で構成される操作パネル（図示省略）を備えている。ユーザーが入力操作部５６の各種操作キーを操作すると、入力操作部５６は、ユーザーの操作内容に応じた操作信号を制御部５４に出力する。
【００３２】
画像信号入力部５１は、制御部５４の指示に基づき、ビデオ再生装置やＰＣ（パーソナルコンピューター）等の外部の画像出力装置から、ケーブルを接続する複数の画像入力端子５０を介して画像情報を入力し、画像信号処理部５２に出力する。なお、画像信号入力部５１は、無線通信や光通信等の受信部を備え、外部機器から無線によって画像信号を入力する構成としてもよい。
【００３３】
画像信号処理部５２は、制御部５４の指示に基づき、画像信号入力部５１から入力される画像情報を、液晶パネル５８２Ｒ，５８２Ｇ，５８２Ｂの各画素の階調を表す画像情報に変換する。ＯＳＤ処理部５３は、制御部５４の指示に基づいて、投写画像上に、メニュー画像やメッセージ画像等のＯＳＤ画像を重畳して表示するための処理を行う。
【００３４】
制御部５４は、ＣＰＵ（Central Processing Unit）や、各種データ等の一時記憶に用いられるＲＡＭ（Random Access Memory）等を備え、記憶部５５に記憶されている制御プログラム（図示省略）に従って動作することによりプロジェクター１の動作を統括制御する。つまり、制御部５４は、記憶部５５と共にコンピューターとして機能する。
【００３５】
記憶部５５は、フラッシュメモリーやＦｅＲＡＭ（Ferroelectric RAM：強誘電体メモリー）等の書き換え可能な不揮発性のメモリーにより構成されており、プロジェクター１の動作を制御するための制御プログラムや、プロジェクター１の動作条件等を規定する各種設定データ等が記憶されている。
【００３６】
光源制御部５７は、制御部５４の指示に基づき、光源５８１に対する電力の供給と停止とを制御し、光源５８１の点灯および消灯を切り替える。なお、光源５８１を点灯させる場合、光源制御部５７は、電源部４０からの電力が供給され、光源５８１（本実施形態では交流点灯型の超高圧水銀ランプ）を点灯させるための駆動電圧（パルス電圧）を生成して出力し、光源５８１の電極を放電させて点灯させる。また、本実施形態では、光源制御部５７は、制御部５４の指示に基づき、指示された駆動電圧値となるように駆動電圧を生成し、光源５８１を駆動する電圧を切り替える。
【００３７】
電源部４０は、ＡＣ１００Ｖ等の電力が電源端子５９を介して外部から供給される。電源部４０は、商用電源（交流電源）を所定の電圧の直流電源に変換して、プロジェクター１の各部に変換した電力を供給する。また、電源部４０は、制御部５４の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００３８】
冷却用ファン駆動部５は、制御部５４からの指示により、吸気用ファン２Ａや排気用ファン２Ｂを駆動するための設定された所定の駆動信号を出力する。排気用ファン２Ｂは、冷却用ファン駆動部５から出力される駆動信号により駆動（回転）し、本実施形態では、発熱量の最も大きい発熱源となる後述する電源部４０の熱により温まった空気を外装筐体１０外部に排気することで発熱源を冷却する。また、排気用ファン２Ｂは、電源部４０以外の他の発熱源となる光源５８１や、液晶パネル５８２や、各処理部を構成する回路素子が実装される回路基板（図示省略）等の熱で温まった空気も排気することで発熱源を冷却する。
【００３９】
吸気用ファン２Ａは、冷却用ファン駆動部５から出力される駆動信号により駆動（回転）し、本実施形態では、外装筐体１０外部の空気（外気）を外装筐体１０内部に吸気する。また、吸気用ファン２Ａは、吸気した外気を各発熱源にダクト（図示省略）等を介して吹き付けることで発熱源を冷却する。
【００４０】
＜軸流ファン２の概要＞
図２は、スリット付きの軸流ファン２を示す概斜視図である。
本実施形態では、吸気用ファン２Ａと排気用ファン２Ｂとは同じ構成のスリット付きの軸流ファン２を用いている。図２を参照して、軸流ファン２の概要を説明する。
【００４１】
軸流ファン２は、ハウジング２０と、インペラ３０と、モーター部（図示省略）とを備えている。モーター部は、ロータヨーク（図示省略）を有し、そのロータヨークの外側面にインペラ３０が取り付けられている。ロータヨークはシャフト（図示省略）を中心として回転する。ここで、シャフトの回転軸を中心軸Ｊとする。なお、中心軸Ｊは回転中心軸に対応する。
【００４２】
インペラ３０は、略円筒状のインペラカップ部３１と、複数の羽根３２とで構成されている。複数の羽根３２は、インペラカップ部３１の外側面において、中心軸Ｊを中心とする周方向に等間隔に配設され、中心軸Ｊを中心に回転することで空気流を発生する。なお、インペラ３０が回転することにより、空気が羽根３２によって下方向（図２における下方向）に押し出され、中心軸Ｊ方向の気流が発生する。この中心軸Ｊが回転中心軸に相当する。
【００４３】
ハウジング２０は、側壁２１、ベース部（図示省略）、及び支持リブ（図示省略）を備えている。側壁２１は、内側形状が略円筒形状であり、外側形状が略方形となる筒形状に構成されている。インペラ３０（インペラカップ部３１、羽根３２）は、径方向外方側から側壁２１によって囲まれている。側壁２１は、インペラ３０が中心軸Ｊを中心に回転した際に発生する空気流の空気流路を構成している。羽根３２と側壁２１との間には径方向に間隙を有し、羽根３２が回転可能に構成されている。側壁２１の四隅には、プロジェクター１に軸流ファン２を取り付けるための、取付孔２１８がそれぞれ形成されている。取付孔２１８は、側壁２１の四隅を中心軸Ｊ方向に貫通している。
【００４４】
側壁２１は、図２に示すように、その上端および下端のそれぞれ（側壁２１の両端部）に、上側開口部と下側開口部とを有している。ここで、本実施形態では、上側開口部が吸気側となる第１開口部２１１に対応する。また、下側開口部が排気側となる第２開口部２１２に対応する。
【００４５】
ベース部は、中心軸Ｊ方向において側壁２１の下端部に対応する位置に配置され、モーター部を支持固定する。ベース部は、中心軸Ｊを中心とする有底略円筒状に形成されている。また、ベース部の中央には、中心軸Ｊを中心とする有底略円筒状の軸受ハウジング（図示省略）が構成されている。また、ベース部の外側面には、径方向外方に向けて４本の支持リブが突設されている。４本の支持リブは、中心軸Ｊを中心としてベース部の外側面に対して周方向に配列されている。支持リブは径方向外方において、側壁２１の内周面に連結接続されている。
【００４６】
なお、軸流ファン２は、インペラ３０の回転を制御する回転制御回路を有する回路基板（図示省略）を備えている。そして、冷却用ファン駆動部５から出力された電流が回転制御回路に供給されると、中心軸Ｊを中心とするトルクが発生し、インペラ３０が中心軸Ｊを中心に回転する。
【００４７】
ハウジング２０の側壁２１には、複数のスリット２１３が形成されている。詳細には、側壁２１の内側形状が円筒形状の内周面２１ａには、外方に向けて貫通する複数のスリット２１３が形成されている。側壁２１は、上述したように外側形状が略方形であり、その外周面２１ｂに４つの平面部（４辺）を含むものである。複数のスリット２１３は、側壁２１の内周面２１ａの周方向に配列されている。そして、複数のスリット２１３は、互いに同一方向且つ各平面部（各辺）に対して略垂直な方向に、内周面２１ａから外周面２１ｂへ貫通している。本実施形態では、各平面部（各辺）において、複数のスリット２１３で１つのスリット群２１３Ａを構成している。つまり、本実施形態の側壁２１には、各平面部（各辺）に対応して４つのスリット群２１３Ａが形成されている。また、各スリット群２１３Ａのスリット２１３は、それぞれの長手方向が中心軸Ｊに対して傾斜して形成されている。
【００４８】
軸流ファン２において、インペラ３０が中心軸Ｊを中心に回転した際、図２における上方側に滞留している空気が、図２における下方側に向けて流れる。その際、軸流ファン２の上方側に滞留する空気は、ハウジング２０の側壁２１の第１開口部２１１から内周面２１ａを流動して側壁２１内に流入する。なお、ハウジング２０内で、第１開口部２１１から空気が回転軸Ｊ方向に沿って流入することにより、圧力低下が発生する。それにより、各スリット群２１３Ａの複数のスリット２１３を通じて、側壁２１の内周面２１ａ側に空気が流入する。そして、第１開口部２１１から流入した空気と、スリット２１３から流入した空気とが混合されて、第２開口部２１２から流出する。上述したスリット付きの軸流ファン２により、スリットを有さない軸流ファンに比べて風量を稼ぐことができる。
【００４９】
＜排気用ファン２Ｂを用いた排気側の構成＞
図３は、軸流ファン２を排気用ファン２Ｂとして用いた場合の排気側の構成を示す模式図である。なお、図３は、排気側の構成を上方向から平面的に見た状態を示している。また、要部を断面的に表している。
【００５０】
図３に示すように、本実施形態では、排気用ファン２Ｂは、外装筐体１０の側面１０ａに設けた排気口１１の近くに設置される。本実施形態では、排気用ファン２Ｂは、排気側となる第２開口部２１２が排気口１１に相対するように設置されている。また、吸気側となる第１開口部２１１は、第１発熱源α側に相対している。
【００５１】
排気用ファン２Ｂは、取付孔２１８を介して第１ダクト６１にネジ固定されると共に、第１ダクト６１に覆われた形態となっている。第１ダクト６１は、排気用ファン２Ｂの側壁２１を覆い、排気用ファン２Ｂの略方形の外側形状に合わせて、断面概矩形状の筒形状に形成されている。第１ダクト６１は、側壁２１の各スリット群２１３Ａ（複数のスリット２１３）に相対する領域に、スリット群２１３Ａを露出させる開口部６１１をそれぞれ有している。従って、第１ダクト６１に形成される開口部６１１は、４つのスリット群２１３Ａに合わせて、４つの面にそれぞれ１つずつ設置されている。
【００５２】
第１ダクト６１の排気側の先端部は排気口１１に当接している。また、第１ダクト６１の吸気口側の先端部は第１発熱源αの近傍まで延出している。これにより、第１ダクト６１は、第２開口部２１２から吐出される空気を排気口１１に導く。なお、第１発熱源αは、本実施形態では電源部４０が相当する。第１発熱源αは、発熱源の中で最も発熱量が大きい構成部である。
【００５３】
なお、電源部４０より発熱量が大きくなる構成部がある場合には、第１ダクト６１の吸気口側の先端部を、その発熱源の近くに設置することでよい。また、第１発熱源αの近くに第１開口部２１１を位置させることが可能である場合には、第１開口部２１１から第１発熱源αまで延出するダクト領域（第１ダクト６１）は省いてもよい。
【００５４】
本実施形態では、更に第２ダクト６２を備えている。第２ダクト６２は、図３に示すように、外装筐体１０の他方の側面１０ｂに形成された開口部となる吸気口１２に相対して形成されている。第２ダクト６２は、吸気口１２（側面１０ｂ）に相対する第１ダクト６１の開口部６１１と、吸気口１２とを連通すると共に、第１ダクト６１に固定されている。
【００５５】
第２ダクト６２が接続する開口部６１１に相対する他方の開口部６１１は、外装筐体１０の内部に向いて開放されている。本実施形態では、第２発熱源βに相対して開放されている。また、残りの２つの開口部６１１となる、隣のダクト面に形成される開口部６１１は、外装筐体１０の側面１０ａ，１０ｂに隣接して交差する側面の内面に向いて開放されている。
【００５６】
なお、側面１０ｂの吸気口１２に第２ダクト６２を設けるのみではなく、側面１０ａ，１０ｂに隣接して交差する側面で、その側面に相対する開口部６１１（スリット２１３）に対して吸気口を設け、第２ダクト６２に相当するダクトを設置することでもよい。
【００５７】
本実施形態の構成において、排気用ファン２Ｂを駆動した場合、第１発熱源α（本実施形態では電源部４０）の発熱により温まった空気が、第１ダクト６１の吸気口側の先端部からダクト内に流入及び流動して、排気用ファン２Ｂの第１開口部２１１に流入する（第１開口部２１１に吸気される）。また、外装筐体１０の内部に開放する第１ダクト６１の開口部６１１を介して、第２発熱源βの発熱により温まった空気が、開口部６１１に相対する排気用ファン２Ｂのスリット２１３（スリット群２１３Ａ）に流入する（スリット２１３に吸気される）。
【００５８】
なお、第２発熱源βは、第１発熱源αより発熱量が小さい構成部である。第２発熱源βは、実施形態では、電源部４０以外の周りの回路構成部となる。詳細には、第２発熱源βは、光源５８１、光変調装置としての液晶パネル５８２、各処理部を構成する回路素子が実装される回路基板等である。
【００５９】
また、本実施形態では、外装筐体１０に設けた吸気口１２から、外気（外装筐体１０外部の空気）が、第２ダクト６２内に流入して流動し、開口部６１１を介して相対するスリット２１３（スリット群２１３Ａ）に流入する（スリット２１３に吸気される）。
【００６０】
従って、排気用ファン２Ｂには、発熱量が最も大きい第１発熱源αで温まった空気が、第１開口部２１１から流入する。また、第１発熱源αよりも発熱量が小さい第２発熱源βで温まった空気が、外装筐体１０内部に開放される開口部６１１を介して、対応するスリット２１３から流入する。併せて、最も温度が低くなる外気が、第２ダクト６２を介して、スリット２１３から流入する。また、第２発熱源βに相対せず、吸気口１２とも相対しない２つのスリット２１３からは、内気（外装筐体１０内部の空気）が流入する。
【００６１】
排気用ファン２Ｂに流入した空気（第１発熱源αで温まった空気、第２発熱源βで温まった空気、外気、及び外装筐体１０内部の温まった空気）が、羽根３２の回転により混合されて、第２開口部２１２から吐出される。なお、この混合により、第２開口部２１２から吐出される空気の温度は、少なくとも第１発熱源αで温まった空気の温度に比べて低い温度となる。第２開口部２１２から吐出された空気は、第１ダクト６１を流動して、排気口１１から外装筐体１０の外部に排気される。
【００６２】
排気用ファン２Ｂを用いた排気側の構成により、以下の効果を奏することができる。
（１）本実施形態のプロジェクター１によれば、排気用ファン２Ｂにおいて、第１開口部２１１からは、第１発熱源α（他の発熱源より発熱量が大きい）の発熱による温まった空気を吸気させる。併せて、スリット２１３からは、スリット２１３に相対する開口部６１１を介し、第１発熱源α以外の周りの第２発熱源β（第１発熱源αより発熱量が小さい）からの温まった空気を吸気させることができる。そして、第２開口部２１２からは、第１開口部２１１及びスリット２１３から吸気した空気が混合されて吐出される。そして、第２開口部２１２から吐出された空気は、第１ダクト６１内を流動し、排気口１１から外装筐体１０外部に排気される。この構成により、内気の排気効率を向上させることができる。
また、スリット２１３からは、第１発熱源αからの高い温度の空気に比べて、低い温度となる空気を吸気することができる。そのため、従来の軸流ファンのように、側壁にスリットを有さずに第１発熱源αによる高い温度の空気のみを排気する場合に比べて、排気口１１から排気される空気の温度（排気温度）を低減させることができる。
【００６３】
（２）本実施形態のプロジェクター１によれば、外装筐体１０には、外気をスリット２１３に吸気する吸気口１２を更に備えているため、スリット２１３から流入した外気により、排気温度を更に低減することができる。
【００６４】
（３）本実施形態のプロジェクター１によれば、吸気口１２からスリット２１３に外気を導く第２ダクト６２を備えていることにより、第２ダクト６２を介して確実に外気をスリット２１３に吸気させることができる。
【００６５】
（４）本実施形態のプロジェクター１によれば、スリット付き軸流ファン２（排気用ファン２Ｂ）を排気用に用いた場合、排気用ファン２Ｂ自体の温度を低減することもでき、排気用ファン２Ｂの性能を長期間維持することができる。また、排気口１１や排気口１１周りの外装筐体１０や、排気口１１に付属する部材（例えばルーバー等）の熱による変形や変色等を防止することができる。また、外装筐体１０外部となる排気口１１の周囲の温度を低減することができる。
【００６６】
なお、排気用ファン２Ｂを用いた排気側の構成において、本実施形態では、外装筐体１０に吸気口１２を設置し、併せて第２ダクト６２を構成して、外気を確実にスリット２１３に吸気させている。しかし、吸気口１２に相対するスリット２１３が、吸気口１２に近い部位に設置される場合には、第２ダクト６２を設けなくてもよい。また、吸気口１２に相対するスリット２１３が、吸気口１２に近い部位に設置されていなくても、第２ダクト６２を設けなくてもよい。その場合には、スリット２１３は、吸気口１２を介して外気を吸気することに加えて、外装筐体１０内部の内気も吸気することになる。いずれの場合にも、排気温度を低減することができる。
【００６７】
また、本実施形態では、外装筐体１０に吸気口１２を設置して、外気をスリット２１３に吸気させている。しかし、吸気口１２は設置せずに、外気を吸気しない構成としてもよい。この場合、スリット２１３は、内気を吸気することになる。このような構成においても、本実施形態に比べて排気温度は高くなるが、従来に比べた場合、排気温度を低減することができる。
【００６８】
＜吸気用ファン２Ａを用いた吸気側の構成＞
図４は、軸流ファン２を吸気用ファン２Ａとして用いた場合の吸気側の構成を示す模式図である。なお、図４は、吸気側の構成を上方向から平面的に見た状態を示している。また、要部を断面的に表している。
【００６９】
図４に示すように、本実施形態では、吸気用ファン２Ａは、外装筐体１０の側面１０ｂと、側面１０ｂに隣り合う側面１０ｃとの交差する角部に設置される。
【００７０】
本実施形態では、吸気用ファン２Ａにおいて、吸気側となる第１開口部２１１は、側面１０ｃに設けた第１吸気口１５に相対するように設置されている。また、側壁２１に形成される１つのスリット群２１３Ａ（スリット２１３）が、側面１０ｂに設けた第２吸気口１６に相対するように設置されている。また、排気側となる第２開口部２１２は、第１発熱源α側に相対している。
【００７１】
第１吸気口１５は、第１開口部２１１に相対する領域に設置されている。また、第２吸気口１６は、スリット２１３に相対する領域に設置されている。また、第１吸気口１５と第２吸気口１６とは、詳細には、角部で、第１開口部２１１とスリット２１３に相対する外装筐体１０の面（側面１０ｃ、側面１０ｂ）に設置されている。更には、第１吸気口１５と第２吸気口１６とは、角部の隣り合う面（側面１０ｃ、側面１０ｂ）に設置されている。
【００７２】
吸気用ファン２Ａは、取付孔２１８を介して第３ダクト６３にネジ固定されると共に、第３ダクト６３に覆われた形態となっている。第３ダクト６３は、吸気用ファン２Ａの側壁２１を覆い、吸気用ファン２Ａの略方形の外側形状に合わせて、断面概矩形状の筒形状に形成されている。第３ダクト６３は、側壁２１の各スリット群２１３Ａ（複数のスリット２１３）に相対する領域に、スリット群２１３Ａを露出させる開口部６３１をそれぞれ有している。従って、第３ダクト６３に形成される開口部６３１は、４つのスリット群２１３Ａに合わせて、４つの面にそれぞれ１つずつ設置されている。
【００７３】
第３ダクト６３の吸気側の先端部は第１吸気口１５に当接している。また、排気側の先端部は第１発熱源αの近傍まで延出している。なお、第１発熱源αは、本実施形態では電源部４０が相当する。第１発熱源αは、発熱源の中で最も発熱量が大きい構成部である。
【００７４】
なお、電源部４０より発熱量が大きくなる構成部がある場合には、第３ダクト６３の排気側の先端部を、その発熱源の近くに設置することでよい。また、第２開口部２１２の近くに第１発熱源αを位置させることが可能である場合には、第２開口部２１２から第１発熱源αまで延出するダクト領域（第３ダクト６３）は省いてもよい。
【００７５】
本実施形態では、更に第４ダクト６４を備えている。第４ダクト６４は、図４に示すように、外装筐体１０の他方の側面１０ｂに形成された第２吸気口１６に相対して形成されている。第４ダクト６４は、第２吸気口１６（側面１０ｂ）に相対する第３ダクト６３の開口部６３１と、第２吸気口１６とを連通すると共に、第３ダクト６３に固定されている。
【００７６】
なお、本実施形態の第３ダクト６３と第４ダクト６４とは、吸気側において完全に分離した状態にはなっておらず、一体となる状態で構成されている。従って、第１吸気口１５に流入した外気は、主に、第１吸気口１５に相対する第１開口部２１１に流入し、第２吸気口１６に流入した外気は、主に、第２吸気口１６に相対するスリット２１３に流入する。言い換えると、第１吸気口１５に流入した外気がスリット２１３に流入する場合や、第２吸気口１６に流入した外気が第１開口部２１１に流入する場合もある。
【００７７】
第４ダクト６４が接続する開口部６３１に相対する他方の開口部６３１は、外装筐体１０の内部に向いて開放されている。また、残りの２つの開口部６３１となる、隣のダクト面に形成される開口部６３１は、外装筐体１０の側面１０ｂ，１０ｃに隣接して交差する側面の内面に向いて開放されている。
【００７８】
なお、側面１０ｂの第２吸気口１６に第４ダクト６４を設けるのみではなく、側面１０ｂ，１０ｃに隣接して交差する側面で、その側面に相対する開口部６３１（スリット２１３）に対して吸気口を設け、第４ダクト６４に相当するダクトを設置することでもよい。
【００７９】
また、本実施形態では、第３ダクト６３と第４ダクト６４とは、吸気口側にフィルター７を設置する領域がダクトの内部に形成されている。フィルター７は、詳細には、第１吸気口１５から流入する外気の内部に含まれる塵埃を除去するための第１フィルター７１と、第２吸気口１６から流入する外気の内部に含まれる塵埃を除去するための第２フィルター７２とで構成されている。
【００８０】
なお、本実施形態では、この第１フィルター７１と第２フィルター７２とが一体となるフィルター７として構成されている。また、第１フィルター７１は、第１吸気口１５と第１開口部２１１との間の領域に設置され、第２フィルター７２は、第２吸気口１６と、第２吸気口１６に相対するスリット２１３（開口部６３１）との間の領域に設置される。従って、フィルター７は、断面Ｌ字形状に曲折された状態で設置されている。
【００８１】
上述したように、第４ダクト６４が接続する開口部６３１に相対する他方の開口部６３１は、外装筐体１０の内部に向いて開放されている。なお、この解放する開口部６３１を囲むように第３ダクト６３には、環状に突出する突出部６３２が形成されている。そして、突出部６３２の内部には、開口部６３１を介して内気（外装筐体１０内部の空気）がスリット２１３に流入する際に、内気に含まれる塵埃を除去する第３フィルター７３が固定されている。なお、この突出部６３２と第３フィルター７３との構成は、残りの２つの開口部６３１となる、隣のダクト面に形成される開口部６３１に対しても設置されている。
【００８２】
なお、本実施形態では、第１フィルター７１と第２フィルター７２とを一体にしたフィルター７として構成しているが、第１フィルター７１と第２フィルター７２とに分離して、第３ダクト６３と第４ダクト６４とのそれぞれのダクトで案内する構成としてもよい。
【００８３】
また、第４ダクト６４を、側面１０ｂ，１０ｃに隣接して交差する側面で、その側面に相対する開口部６３１（スリット２１３）に対して吸気口を設け、第４ダクト６４を設置した場合には、その開口部６３１と吸気口との間の領域に、フィルターを設けることでよい。また、そのフィルターはフィルター７と別体に設けても一体に設けてもよい。
【００８４】
また、本実施形態では、第２吸気口１６に対応する開口部６３１（スリット２１３）以外の３つの開口部６３１に対応させて、突出部６３２及び第３フィルター７３をそれぞれ設置している。しかし、この３つの開口部６３１を第３ダクト６３に設置しない構成としてもよい。その場合には、内気は吸気しない構成となる。
【００８５】
本実施形態の構成において、吸気用ファン２Ａを駆動した場合、外気が、外装筐体１０の側面１０ｃに設けられた第１吸気口１５から流入し、フィルター７（第１フィルター７１）で塵埃が除去されて第３ダクト６３内に流入することで、主に、吸気用ファン２Ａの第１開口部２１１に流入する（第１開口部２１１に吸気される）。
【００８６】
また、本実施形態では、外気が、外装筐体１０の側面１０ｂに設けられた第２吸気口１６から流入し、フィルター７（第２フィルター７２）で塵埃が除去されて第４ダクト６４内に流入することで、主に、開口部６３１を介して相対するスリット２１３（スリット群２１３Ａ）に流入する（スリット２１３に吸気される）。
【００８７】
また、外装筐体１０の内部に開放する３つの第３ダクト６３の開口部６３１からは、内気が、第３フィルター７３で塵埃が除去されて、開口部６３１に相対するスリット２１３（スリット群２１３Ａ）に流入する。
【００８８】
従って、吸気用ファン２Ａには、第１開口部２１１から外気が流入すると共に、第２吸気口１６に相対するスリット２１３（スリット群２１３Ａ）から外気が流入する。併せて、外装筐体１０内部に開放された３つの開口部６３１を介してそれぞれのスリット２１３（スリット群２１３Ａ）から内気が流入する。
【００８９】
そして、塵埃が除去されて吸気用ファン２Ａに流入した空気（外気及び内気）は、羽根３２の回転により混合されて、第２開口部２１２から吐出される。また、本実施形態では、第２開口部２１２から吐出された空気は、第３ダクト６３を流動して、相対する発熱量の最も大きい第１発熱源αに吹き付けられる。
【００９０】
吸気用ファン２Ａを用いた吸気側の構成により、以下の効果を奏することができる。
（１）本実施形態のプロジェクター１によれば、吸気用ファン２Ａにおいて、第１吸気口１５から吸気される外気は、第１フィルター７１（フィルター７）により外気に含まれる塵埃が除去されて、第３ダクト６３内を流動し、主に、第１吸気口１５と相対する吸気用ファン２Ａの第１開口部２１１に吸気される。また、第２吸気口１６から吸気される外気は、第２フィルター７２（フィルター７）により外気に含まれる塵埃が除去されて、第４ダクト６４内を流動して、主に、第２吸気口１６と相対する吸気用ファン２Ａのスリット２１３に吸気される。そして、第１開口部２１１及びスリット２１３から吸気された外気は、羽根３２により混合されて、第２開口部２１２から外装筐体１０内部に設置される第１発熱源αに向けて吐出される。この構成により、外気の吸気効率を向上させることができる。
【００９１】
（２）本実施形態の吸気用ファン２Ａ（軸流ファン２）は、第１開口部２１１が形成される方向と、スリット２１３が形成される方向とは略直交する方向となる。そのため、吸気用ファン２Ａを外装筐体１０内部の角部に設置し、第１吸気口１５と第２吸気口１６とを、吸気用ファン２Ａが設置される角部で、第１開口部２１１とスリット２１３に相対する外装筐体１０の面（側面１０ｃ、側面１０ｂ）に設置されることにより、それぞれの吸気口から相対する第１開口部２１１やスリット２１３に外気を吸気しやすくなる。これにより、吸気効率の向上を図ることができる。また、吸気用ファン２Ａ、第１吸気口１５、第２吸気口１６を角部に設置することにより、プロジェクター１の小型化を図ることができる。
【００９２】
（３）本実施形態のプロジェクター１によれば、第１フィルター７１と第２フィルター７２とが一体に構成されることにより、フィルター７の組立て性の向上や塵埃の除去性能を向上させることができる。
【００９３】
（４）本実施形態のプロジェクター１によれば、スリット付き軸流ファン２（吸気用ファン２Ａ）を吸気用に用いた場合、吸気効率の向上やプロジェクター１の小型化を図ることができる。
【００９４】
（５）本実施形態のプロジェクター１によれば、吸気用ファン２Ａと、冷却対象となる第１発熱源αとの距離が近い場合（羽根３２に掛かる負荷が高い状態）においても、側壁２１のスリット２１３から内気や外気を吸気する構成としたことにより、従来の軸流ファンを用いる場合にサージング現象が発生する領域において、風量を増加させることができ、騒音の増大を防止することができる。
【００９５】
上述した実施形態の排気用ファン２Ｂを用いた排気側の構成と、吸気用ファン２Ａを用いた吸気側の構成とをプロジェクター１に設置することにより、プロジェクター１は、排気効率を向上させると共に、吸気効率を向上させることができる。これにより、プロジェクター１の冷却効率を向上させることができる。
【００９６】
吸気用ファン２Ａを用いた吸気側の構成において、本実施形態では、吸気用ファン２Ａを外装筐体１０内部の角部に設置して、第１吸気口１５と第２吸気口１６とを、角部で、第１開口部２１１とスリット２１３に相対する外装筐体１０の面（側面１０ｃ、側面１０ｂ）に設置している。しかし、この配置には限定されず、外装筐体１０の１つの面（例えば側面１０ｃ）に、第１吸気口と第２吸気口とを備える構成としてもよい。この場合、第１フィルター、第２フィルターを対応する第１吸気口、第２吸気口に設置し、流入した外気を新たなダクトにより、第１開口部２１１や対応するスリット２１３（スリット群２１３Ａ）に流動させることでもよい。このような構成とすることでも、吸気効率を向上させることができる。
【００９７】
本実施形態では、第１吸気口１５と第２吸気口１６とは、角部で、第１開口部２１１とスリット２１３に相対する外装筐体１０の面に設置されている。また、同時に、第１吸気口１５と第２吸気口１６とは、角部の隣り合う面に設置されている。しかし、角部で、第１開口部２１１とスリット２１３に相対する外装筐体１０の面に設置される場合でも、角部の隣り合う外装筐体１０の面に設置される場合でも、いずれでもよい。
【００９８】
本実施形態では、第１吸気口１５と第２吸気口１６とを別体として設置しているが、一体のフィルター７を用いる場合には、異なる側面にわたるが、第１吸気口１５と第２吸気口１６とを一体に連接した構成とすることもできる。この構成により、吸気効率を更に向上させることができる。
【００９９】
本実施形態では、電子機器の一例としてプロジェクター１を取り上げて説明した。しかし、本発明は、プロジェクター１には限られず、種々の電子機器に適用することができる。そして、電子機器に備わる発熱量の大きい電源部等の発熱源に対して、上述する吸気側の構成や排気側の構成を適用することで、同様の効果を奏することができる。
【０１００】
本実施形態の排気用ファン２Ｂは、第１開口部２１１から、最も発熱量の大きい第１発熱源αからの温まった空気を吸気しているが、これに限られず、第２発熱源β等、適宜、吸気する発熱源を設定することでよい。
【０１０１】
本実施形態の吸気用ファン２Ａは、第２開口部２１２から、冷却対象として最も発熱量の大きい第１発熱源αに空気を吹き付けて冷却しているが、これに限られず、第２発熱源β等、適宜、空気を吹き付ける発熱源を設定することでよい。
【０１０２】
本実施形態の軸流ファン２の側壁２１は、内側形状が略円筒形状であり、外側形状が略方形となる筒形状に構成されている。しかし、これには限られず、内側形状、外側形状が共に略円筒形状となる筒形状に構成されていてもよい。その場合、この円筒形状の側壁の側面に、貫通するスリットを構成することで良い。
【符号の説明】
【０１０３】
１…プロジェクター、２…軸流ファン、２Ａ…吸気用ファン、２Ｂ…排気用ファン、７…フィルター、１０…外装筐体、１１…排気口、１２…吸気口（開口部）、１５…第１吸気口、１６…第２吸気口、２１…側壁、３２…羽根、６１…第１ダクト、６２…第２ダクト、６３…第３ダクト、６４…第４ダクト、７１…第１フィルター、７２…第２フィルター、２１１…第１開口部、２１２…第２開口部、２１３…スリット、２１３Ａ…スリット群、５８１…光源、５８２…光変調装置としての液晶パネル、５８３…投写光学系としての投写レンズ、Ｊ…中心軸（回転中心軸）、α…第１発熱源、β…第２発熱源。
【図１】
2019078973.tif 000003
【図２】
2019078973.tif 000004
【図３】
2019078973.tif 000005
【図４】
2019078973.tif 000006